(57)【要約】【課題】ＲＡＷ画像データとして記録された画像をインデックスプリント上で容易に区別できるようにする。【解決手段】インデック画像３５は、複数の画像データからそれぞれ生成された複数の縮小画像がマトリクス状に配列されている。画像データの中にＲＡＷ画像データとこれ以外の画像フォーマットの画像データとが混在していた場合、各画像データの画像フォーマットが判別される。ＲＡＷ画像データと判別された画像データを示すサムネイル画像は、特定色の矩形枠画像が合成された識別サムネイル画像３２として表示される。ＲＡＷ画像データ以外の画像フォーマットの画像データは、通常のサムネイル画像３１として表示される。【選択図】図４
2007189428.tif 000002
【特許請求の範囲】
【請求項１】
画像データファイルとして記録された複数の画像からサムネイル画像をそれぞれ生成し、複数のサムネイル画像を配列したインデックス画像を出力するインデックス画像出力装置において、
画像データファイルの画像フォーマットを検出する画像フォーマット検出手段と、
複数種類の画像フォーマットの画像データファイルが存在する時に、画像フォーマットの種類を示す識別情報を前記サムネイル画像に付加するフォーマット識別情報付加手段を備えたことを特徴とするインデックス画像出力装置。
【請求項２】
画像データファイルとして記録された複数の画像からサムネイル画像をそれぞれ生成し、複数のサムネイル画像を配列したインデックス画像を出力するインデックス画像出力装置において、
画像データファイルをそれぞれ解析し、同じ被写体が記録された複数の画像が存在するか否かを判別する画像判別手段と、
同じ被写体が記録された複数の画像が存在する時に、被写体が同一であることを示す識別情報を、該当する画像のサムネイル画像にそれぞれ付加する被写体識別情報付加手段を備えたことを特徴とするインデックス画像出力装置。
【請求項３】
前記画像判別手段は、複数の画像データファイルの付帯情報を互いに比較し、同じ被写体を記録した画像であることを示す同時撮影情報を有するか否かに基づいて同じ被写体の画像を判別することを特徴とする請求項２に記載のインデックス画像出力装置。
【請求項４】
前記画像判別手段は、複数の画像データファイルの画像情報を互いに比較し、同じ被写体の画像を判別することを特徴とする請求項２に記載のインデックス画像出力装置。
【請求項５】
前記画像判別手段は、画像を撮影した日時を示す撮影日時情報と、撮影時の被写体の状況に応じて設定される撮影環境情報と、画像データファイルのファイル名の少なくとも１つに基づいて同じ被写体を記録した画像であるか否かを判別することを特徴とする請求項２ないし４のいずれか１つに記載のインデックス画像出力装置。
【請求項６】
同一の被写体が記録された複数の画像が存在する時に、いずれか１つの画像を代表画像としてそのサムネイル画像に前記識別情報を付加し、
同一の被写体が記録された複数の画像のうち、代表画像と異なる画像のサムネイル画像を除いたインデックス画像を出力することを特徴とする請求項２ないし５のいずれか１つに記載のインデックス画像出力装置。
【請求項７】
前記代表画像は、撮像装置によって得られる本来の画像信号をデジタル変換したＲＡＷ画像データとして記録され、このＲＡＷ画像データを現像処理した画像であることを特徴とする請求項６記載のインデックス画像出力装置。
【請求項８】
前記識別情報は、サムネイル画像の周辺部又は周囲に合成される特定色の矩形枠画像であることを特徴とする請求項１ないし７のいずれか１つに記載のインデックス画像出力装置。
【請求項９】
画像データファイルとして記録された複数の画像からサムネイル画像をそれぞれ生成し、複数のサムネイル画像を配列したインデックス画像を出力するためのインデックス画像出力プログラムにおいて、
画像データファイルの画像フォーマットを検出する画像フォーマット検出手段と、
複数種類の画像フォーマットの画像データが存在する時に、画像フォーマットの種類を示す識別情報を前記サムネイル画像に付加するフォーマット識別情報付加手段としてコンピュータを機能させることを特徴とするインデックス画像出力プログラム。
【請求項１０】
画像データファイルとして記録された複数の画像からサムネイル画像をそれぞれ生成し、複数のサムネイル画像を配列したインデックス画像を出力するためのインデックス画像出力プログラムにおいて、
画像データファイルをそれぞれ解析し、同じ被写体が記録された複数の画像が存在するか否かを判別する画像判別手段と、
同じ被写体が記録された複数の画像が存在する時に、被写体が同一であることを示す識別情報を、該当する画像のサムネイル画像にそれぞれ付加する被写体識別情報付加手段としてコンピュータを機能させることを特徴とするインデックス画像出力プログラム。
【発明の詳細な説明】
【技術分野】
【０００１】
本発明は、複数の画像のサムネイル画像が配列され、画像を一覧するために便利なインデックス画像を出力するインデックス画像出力装置、及びインデックス画像出力プログラムに関する。
【背景技術】
【０００２】
プリントサービス店では、写真フイルムの撮影画像やデジタルカメラで撮影された画像データからプリント写真を作成する際、注文者がプリント枚数やプリントサイズ等を画像ごとに指定しやすいようにインデックスプリントを作成することが一般的になっている。インデックスプリントは、縮小サイズのサムネイル画像として複数の画像がマトリクス状に配列されたものである。インデックスプリントは、１枚の印画紙に例えば２０枚分の画像のサムネイル画像がプリントされる。インデックスプリントは、サムネイル画像によってプリント写真の仕上がりの状態を確認できるため、プリントサービス店に画質の改善等を要望する際にも便利である。
【０００３】
ところで、従来のデジタルカメラでは、画像データのデータサイズを小さくするＪＰＥＧ圧縮等の画像圧縮処理を行い、画像データを記憶させるメモリカードの記憶容量を節約している。ＪＰＥＧ圧縮はブロックノイズ等による画質の劣化を伴うものであり、ＪＰＥＧ圧縮後の画像データに画像処理を行った時、ＪＰＥＧ圧縮を二重に行うと画質はさらに劣化する。
【０００４】
最近では、メモリカードの記憶容量が増大し、ＪＰＥＧ圧縮を行わない無圧縮画像データを記録することが可能になっている。特に、階調補正や色補正を行わずに撮像装置から出力される本来の画像信号をデジタル変換したＲＡＷ画像データは、データサイズがＪＰＥＧ画像データの数倍になるが、プリントサイズを大きくする場合でも鮮明なプリント画像が得られ、細かい画質補正を行う場合に画質の劣化を最小限に抑えることができる。
【特許文献１】特開平１１−３４１２５６号公報
【特許文献２】特開２００４−３１２１２４号公報
【発明の開示】
【発明が解決しようとする課題】
【０００５】
しかしながら、ＲＡＷ形式の画像のサムネイル画像とＪＰＥＧ形式のサムネイル画像がインデックスプリントに混在している場合、サムネイル画像だけではＲＡＷ形式で記録された画像かＪＰＥＧ形式で記録された画像かを見分けることはできない。印画紙のサイズが大きいプリント写真を注文する際などにはＲＡＷ画像データからプリントすることが好ましいため、どの画像がＲＡＷ形式の画像として記録されたものであるかを注文者が覚えておかなければならない不便な点があった。
【０００６】
本発明は、上記問題点を考慮してなされたもので、ＲＡＷ形式の画像のサムネイル画像とＪＰＥＧ形式の画像のサムネイル画像とをその場で見分けられるインデックスプリントを作成するためのインデックス画像出力装置及びインデックス画像出力プログラムを提供することを目的とする。
【課題を解決するための手段】
【０００７】
上記目的を達成するために、本発明のインデックス画像出力装置は、画像データファイルとして記録された複数の画像からサムネイル画像をそれぞれ生成し、複数のサムネイル画像を配列したインデックス画像を出力するものであり、画像データファイルの画像フォーマットを検出する画像フォーマット検出手段と、複数種類の画像フォーマットの画像データファイルが存在する時に、画像フォーマットの種類を示す識別情報を前記サムネイル画像に付加するフォーマット識別情報付加手段を備えたことを特徴とする。
【０００８】
また、本発明のインデックス画像出力装置は、画像データファイルとして記録された複数の画像からサムネイル画像をそれぞれ生成し、複数のサムネイル画像を配列したインデックス画像を出力するもので、画像データファイルをそれぞれ解析し、同じ被写体が記録された複数の画像が存在するか否かを判別する画像判別手段と、同じ被写体が記録された複数の画像が存在する時に、被写体が同一であることを示す識別情報を該当する画像のサムネイル画像にそれぞれ付加する被写体識別情報付加手段を備えたことを特徴とする。
【０００９】
前記画像判別手段は、複数の画像データファイルの付帯情報を互いに比較し、同じ被写体を記録した画像であることを示す同時撮影情報を有するか否かに基づいて同じ被写体の画像を判別することを特徴とする。
【００１０】
前記画像判別手段は、複数の画像データファイルの画像情報を互いに比較し、画像情報の合致する画素領域の面積に基づいて同じ被写体の画像を判別することを特徴とする。
【００１１】
前記画像判別手段は、画像を撮影した日時を示す撮影日時情報と、撮影時の被写体の状況に応じて設定される撮影環境情報と、画像データのファイル名の少なくとも１つに基づいて同じ被写体を記録した画像であるか否かを判別することを特徴とする。
【００１２】
同一の被写体が記録された複数の画像が存在する時に、いずれか１つの画像を代表画像としてそのサムネイル画像に前記識別情報を付加し、同一の被写体が記録された複数の画像のうち、代表画像と異なる画像のサムネイル画像を消去したインデックス画像を出力することを特徴とする。
【００１３】
前記代表画像は、撮像装置から出力された本来の画像信号をデジタル変換することでＲＡＷ画像データとして記録され、このＲＡＷ画像データを現像処理した画像であることを特徴とする。
【００１４】
前記識別情報は、サムネイル画像の周辺部又は周囲に合成される特定色の矩形枠画像であることを特徴とする。
【００１５】
また、本発明のインデックス画像出力プログラムは、画像データファイルとして記録された複数の画像からサムネイル画像をそれぞれ生成し、複数のサムネイル画像を配列したインデックス画像を出力するためのものであり、画像データファイルの画像フォーマットを検出する画像フォーマット検出手段と、複数種類の画像フォーマットの画像データが存在する時に、画像フォーマットの種類を示す識別情報を前記サムネイル画像に付加するフォーマット識別情報付加手段としてコンピュータを機能させることを特徴とする。
【００１６】
また、本発明のインデックス画像出力プログラムは、画像データファイルとして記録された複数の画像からサムネイル画像をそれぞれ生成し、複数のサムネイル画像を配列したインデックス画像を出力するためのものであって、画像データファイルをそれぞれ解析し、同じ被写体が記録された複数の画像が存在するか否かを判別する画像判別手段と、同じ被写体が記録された複数の画像が存在する時に、被写体が同一であることを示す識別情報を該当する画像のサムネイル画像にそれぞれ付加する被写体識別情報付加手段としてコンピュータを機能させることを特徴とする。
【発明の効果】
【００１７】
本発明によれば、複数の画像データの画像フォーマットを判別し、複数種類の画像フォーマットが存在する場合には、全ての画像又は特定の画像フォーマットの画像のサムネイル画像に、その画像フォーマットを識別するための識別情報を付加するから、例えばＪＰＥＧ画像データとＲＡＷ画像データが混在していても、ＲＡＷ画像データとして記録された画像とＪＰＥＧ画像データとして記録された画像とを容易に見分けることができる。これにより、ＲＡＷ画像データとして記録された画像に限定したプリント写真の注文等が簡単に行える。
【００１８】
また、同一の被写体が記録された画像を判別し、同一の被写体が記録された複数の画像が存在する場合にはこれらに識別情報を付加するから、例えば、１回の撮影でＲＡＷ形式の画像データとＪＰＥＧ形式の画像データの異なる画像フォーマットで同時に記録した画像を容易に見分けることができる。また、ＲＡＷ画像データとＪＰＥＧ画像データとが動じに記録された画像データファイルに加えて、連写撮影された画像、オートブラケット撮影された画像なども容易に見分けることができる。
【発明を実施するための最良の形態】
【００１９】
図１において、コンピュータシステム１０は、ＣＰＵ１１と記憶装置１２とを備えたコンピュータ本体１３と、コンピュータ本体１３に画像データファイルを入力するための画像データ入力装置１４を備えている。画像データ入力装置１４は、現像された写真フイルムから撮影画像を読み取るフイルムスキャナと、デジタルカメラ等で使用されたメモリカードから画像データファイルを読み取るメモリカードリーダと、ＣＤＲＯＭ等の光ディスクから画像データファイルを読み取る光ディスクドライブ等を備えている。画像データ入力装置１４からコンピュータ本体１３に入力された画像データファイルは、記憶装置１２に記憶される。
【００２０】
フォトプリンタ１５はコンピュータ本体１３と接続されており、コンピュータ本体１３から出力された画像データファイルに基づいて印画紙に画像をプリントする。フォトプリンタ１５は、コンピュータ本体１３から出力される画像データファイルに基づいて、印画紙に露光を行う画像の焼付けと、印画紙の現像、水洗い、乾燥等を行い、印画紙に画像がプリントされたプリント写真を作成する。
【００２１】
記憶装置１２にはシステムプログラムが記憶されている。ＣＰＵ１１は、このシステムプログラムを実行することにより、画像処理部２０を有する画像処理装置としてコンピュータ本体１３を機能させる。また、ＣＰＵ１１は、画像フォーマット判別部２１、サムネイル画像生成部２２、識別画像付加部２３、インデックス画像出力部２４を有するインデックス画像出力装置としてコンピュータ本体１３を機能させる。
【００２２】
画像処理部２０は、入力された画像データファイルに基づいてフォトプリンタ１５による画像のプリント処理を行う際に、画質を補正するための階調変換、色変換等を行う。また、画像処理部２０は、入力されたＲＡＷ画像データファイルを一般的な画像フォーマットに変換する一般画像化処理を行う。この一般画像化処理はデジタル現像処理とも呼ばれる。
【００２３】
ＲＡＷ画像データファイルは、デジタルカメラで画像を撮影した際に撮像装置から出力される生の画像信号を階調変換や色変換を行うことなくデジタル変換した画像データである。ＲＡ画像データファイルは、デジタルカメラの撮像装置により検出された被写体像の本来の階調情報を有している。ＲＡＷ画像データファイルは、データサイズが膨大であるため、デジタルカメラのメーカによって独自の規格で定められた可逆方式の画像圧縮が行われている。
【００２４】
画像処理部２０は、この圧縮ＲＡＷ画像データファイルを伸長するとともに、ＲＧＢ各色の階調情報が例えば１２ビット（４０９６階調）で表されるＲＡＷ画像を、ＲＧＢ各色の階調情報が８ビット（２５６階調）で表される一般的な画像フォーマットの無圧縮画像に変換する。なお、画像処理部２０は、ＲＡＷ画像に対して、撮影時の露出の過不足による画像の明るさの偏りと、人の色覚とイメージセンサの色検知特性との食い違いとを補正するために、階調補正及びホワイトバランス補正等の画質補正を行った後、これを一般的な画像フォーマットに変換する。
【００２５】
画像フォーマット判別部２１は、入力された画像データファイルのファイル名に付されている拡張子と、画像データファイルのヘッダ情報とを解析し、画像データファイルの画像フォーマットを判別する。画像フォーマットが判別される際には、ＲＡＷ画像の画像フォーマットと、それ以外の画像フォーマット（ＪＰＥＧ，ＥＸＩＦ，ＴＩＦＦ等）とが判別される。サムネイル画像生成部２２は、入力された画像データからサムネイル画像を生成する。サムネイル画像は、入力された画像データの解像度を低解像度に変換した縮小画像であり、後述するインデックス画像を生成する際に使用される。
【００２６】
識別画像付加部２３は、ＲＡＷ画像と、他の画像フォーマットの画像とを区別するために、ＲＡＷ画像から生成されたサムネイル画像に識別画像を付加する。識別画像の付加されたサムネイル画像は、その画像がＲＡＷ画像データファイルとして記録されたことを示す。
【００２７】
図２において、識別画像３０は、赤色等の特定色の矩形枠画像からなり、矩形枠の内側にＲＡＷの文字が付されている。識別画像３０は予め用意された画像であり、ＲＡＷ画像のサムネイル画像３１に合成される画像である。識別画像付加部２３は、識別画像３０をサムネイル画像３１に付加し、サムネイル画像３１の周辺部が赤色の矩形枠で囲まれ、ＲＡＷの文字が付された識別サムネイル画像３２を生成する。
【００２８】
インデックス画像出力部２４は、サムネイル画像生成部２２により生成されたサムネイル画像をインデックス画像としてマトリクス状に配列する順序を決定する。サムネイル画像を配列する順序は、画像データファイルのファイル名の順番で決まる。インデックス画像には、識別サムネイル画像３２がＲＡＷ画像のサムネイル画像として示され、通常のサムネイル画像はその他の画像フォーマットのサムネイル画像として示される。
【００２９】
次に、図３を用いて本実施形態の作用について説明する。ＣＰＵ１１は記憶装置１２に記憶されたシステムプログラムを実行する。これにより、コンピュータ本体１３は画像処理装置及びインデックス画像出力装置として機能する。画像データ入力装置１４には、現像された写真フイルム又は画像データファイルが記憶された記憶媒体がセットされる。写真フイルムがセットされた場合、フイルムスキャナは写真フイルムの画像を読み取り、読み取った画像をコンピュータ本体１３に画像データとして入力する。画像データファイルが記憶された記憶媒体としてメモリカード又は光ディスクがセットされた場合、それぞれの記憶媒体から読み取られた画像データファイルがコンピュータ本体１３に入力される。
【００３０】
ＣＰＵ１１は、入力された画像データファイルを記憶装置１２に格納する。全ての画像データファイルの入力が終了すると、ＣＰＵ１１は画像データを順番に読み出し、画像フォーマット判別部２１によって画像データの画像フォーマットが判別される。画像フォーマット判別部２１は、画像データの拡張子及びヘッダ情報を解析し、読み出された画像データがＲＡＷ画像データファイルであるか否かを判別する。
【００３１】
画像処理部２０は、ＲＡＷ画像データファイルのデジタル現像処理を実行する。圧縮されていたＲＡＷ画像データは伸長され、階調変換と色変換とが行われて画質が調整される。サムネイル画像生成部２２は、各画像データファイルからサムネイル画像を生成する。なお、ＥＸＩＦ形式の画像データファイルは、画像データファイルの中にサムネイル画像データを有しているため、このサムネイル画像データを抽出するだけでよい。その他の画像フォーマットの画像データからは、元の画像データの解像度を例えば約４分の１にしたサムネイル画像データが生成される。
【００３２】
ＣＰＵ１１は、画像フォーマットの判別された複数の画像データファイルから、複数種類の画像フォーマットの画像データファイルが混在しているか否かを判定する。全ての画像データファイルがＲＡＷ画像データであると判定された場合、及び全ての画像データがＲＡＷ画像データファイルと異なる画像データファイルであると判定された場合、インデックス画像出力部２４は、サムネイル画像を配列したインデックス画像を生成する。インデックス画像はフォトプリンタ１５に出力され、フォトプリンタ１５によりインデックスプリントが作成される。
【００３３】
一方、画像データファイルの画像フォーマットを判別した結果、ＲＡＷ画像データファイルとその他の画像フォーマットの画像データファイルが混在すると判定された場合、識別画像付加部２３は、ＲＡＷ画像データのサムネイル画像３１に識別画像３０を付加した識別サムネイル画像３２を生成する。
【００３４】
インデックス画像出力部２４は、ＲＡＷ画像の識別サムネイル画像３２とその他の画像フォーマットの画像の通常のサムネイル画像とを用い、各サムネイル画像の配列を決定し、インデックス画像を生成する。インデックス画像出力部２４は、生成されたインデックス画像をフォトプリンタ１５に出力する。フォトプリンタ１５は、出力されたインデックス画像からインデックスプリントを作成する。
【００３５】
図４において、インデックス画像３５は、矩形枠の画像とＲＡＷの文字が付された識別サムネイル画像３２と、通常のサムネイル画像３１とがマトリクス状に配列されている。識別サムネイル画像３２は、ＲＡＷ画像データファイルとして記録されている画像を表す。通常のサムネイル画像３１は、ＲＡＷ画像データと異なるその他の画像フォーマットで記録された画像を表す。これにより、どの画像がＲＡＷ画像データとして記録された画像であるかを容易に区別することができ、ＲＡＷ画像データとして記録された画像に限定したプリント写真の注文が簡単に行える。
【００３６】
なお、本発明は、上記実施形態に示されるように、ＲＡＷ画像データのサムネイル画像から識別サムネイル画像３２を作成することに限られず、ＲＡＷ画像データを通常のサムネイル画像とし、その他の画像フォーマットのサムネイル画像に識別画像を付加するようにしてもよい。また、ＲＡＷ画像とそれ以外の画像とを区別することに限られず、例えば、ＪＰＥＧ，ＥＸＩＦ等の画質劣化を伴う不可逆方式の画像圧縮がなされた画像データと、ＲＡＷ，無圧縮ＴＩＦＦ等の画質劣化のない（小さい）画像データとを区別できるインデックス画像を作成してもよい。
【００３７】
次に本発明の第２の実施形態について図５を用いて説明する。本実施形態では、１回の撮影で得られた画像をＲＡＷ画像とＪＰＥＧ画像の２つの画像データファイルとして二重に記録できるデジタルカメラ、すなわち、画像フォーマットの異なる複数の画像データを同時に記録するデジタルカメラが使用されている。
【００３８】
上記デジタルカメラで記録された画像データファイルが入力されると、各画像データファイルからサムネイル画像が生成される。サムネイル画像が生成されると、各画像データファイルの画像解析が行われ、同一の被写体が記録された複数の画像が存在するか否かが判別される。同一の被写体が記録された複数の画像が存在しない場合には、生成されたサムネイル画像を配列したインデックス画像が生成される。
【００３９】
１回の撮影で得られた画像がＲＡＷ画像とＪＰＥＧ画像の２つの画像データファイルとして記録される場合、これらの画像は被写体が完全に同一である。従って、同一の被写体が記録された複数の画像が存在することになる。この場合、図５に示すように、同じ画像が存在することを示す識別画像４０が通常のサムネイル画像３１に付加され、識別サムネイル画像４１が生成される。なお、ＲＡＷ画像とＪＰＥＧ画像とが同時に記録される際にはそのファイル名に連続した番号が付けられるようになっており、ファイル名の順番が先となる画像をＲＡＷ画像とすることで、ＲＡＷ画像のサムネイル画像に識別画像４０が付加される。
【００４０】
全ての画像データファイルの画像解析が終了すると、識別サムネイル画像４１及び通常のサムネイル画像３１を順番に配列したインデックス画像４５が生成される。インデックス画像４５が生成される際、同一の被写体が記録された画像のうち、識別画像４０が付加されたＲＡＷ画像の識別サムネイル画像４１は代表画像としてインデックス画像４５に組み込まれる。また、識別画像４０が付加されないＪＰＥＧ画像のサムネイル画像はインデックス画像４５には組み込まれない。これにより、同じ被写体が記録された複数の画像によって見た目の変わらない複数のサムネイル画像が重複してインデックス画像４５に並ぶことが防止され、インデックスプリントに無駄な領域が生じない。
【００４１】
インデックス画像が生成されると、インデックス画像はフォトプリンタ１５に出力され、インデックスプリントが作成される。識別サムネイル画像４１は、同じ被写体を記録した複数の画像が存在することを示すから、ＲＡＷ画像とＪＰＥＧ画像を同時に記録した画像は、識別サムネイル画像４１によって直ちに見分けることができる。
【００４２】
なお、上記実施形態は、同一の被写体が記録された複数の画像を判別するために画像解析を行っている。画像解析によって被写体が同一であるか否かを判別するには、複数の画像を画素レベルで互いに比較し、合致する画素領域を抽出する必要がある。よって、画像の解像度が高い場合には被写体の判別に長い時間がかかることがある。そこで、同じ被写体を記録した画像データファイルに、同時に撮影された画像であることを示す情報として同時撮影情報を組み込み、同時撮影情報の有無によって同じ被写体を記録した画像が存在するか否かを判別してもよい。
【００４３】
図７において、画像データファイル５０は、主に、スタートコード５１と、付加情報エリア５２と、画像情報エリア５３と、ストップコード５４とからなる。スタートコード５１は、データファイルの種別・名称に関する情報、画像フォーマットを定義するための情報等のデータファイルに関する基本情報からなる。付加情報エリア５２は、画像データファイル５０の生成時にデジタルカメラで付加される撮影環境情報からなる。撮影環境情報とは、デジタルカメラの機種情報、撮影日時情報、シャッタスピード・露出等の撮影条件に関する情報、デジタルカメラで行った画像処理の内容を表す情報等である。画像情報エリア５３は、画像データの本体であり画素ごとの階調情報からなる。ストップコード５４は、画像データファイルが終了することを示す情報である。
【００４４】
同時撮影情報を画像データファイルに組み込むには付加情報エリア５２を使用する。同時撮影情報は、異なる画像フォーマットの画像を同時記録する撮影を何度か行った場合に、これらの画像を混同することがないように、撮影ごとに固有の同時撮影情報を生成することが好ましい。又は、同時撮影情報をフラグ情報とし、このフラグ情報を有する画像データファイルから撮影日時情報と撮影環境情報が同じ画像データファイルを検出することで、同一の被写体が同時記録された画像データファイルであることを判別するようにしてもよい。さらに、異なる画像フォーマットで複数の画像を同時に記録する際、ファイル名を連続した順番の名称（番号）とするデジタルカメラや、拡張子以外のファイル名を同一の名称にするデジタルカメラではファイル名に基づいて同一被写体の画像を判別することができる。すなわち、ＲＡＷ画像とＪＰＥＧ画像の同時記録を何度か行った場合に、撮影日時情報と撮影環境情報とファイル名を比較することで同一被写体の画像を判別する精度を高くできる。
【００４５】
また、１回の撮影で異なる画像フォーマットの画像データファイルが記録されている場合には、画像フォーマットの判別と被写体の判別とを行い、図８に示すように、ＲＡＷ，ＪＰＥＧの画像フォーマットの異なる同一の被写体が記録された画像であることを示す識別サムネイル画像６０を生成してもよい。なお、本発明は、画像フォーマットの異なる複数の画像が同時に記録された場合に用いることに限られない。例えば、１回の撮影で同じ画像フォーマットの複数の画像を連続記録する連写撮影や撮影条件を変更しながら連写を行うオートブラケット撮影によって多数の画像が得られた場合、全ての画像のサムネイル画像をインデックス画像として配列すると無駄になることがある。このときには、図９に示すように、連続記録された画像の１つを代表画像とし、この代表画像のサムネイル画像に連続記録された画像であることを示す識別情報を付加した識別サムネイル画像６１をインデックス画像に組み込めばよい。
【００４６】
また、識別情報としては、サムネイル画像の周辺部に付加される矩形枠画像に限られず、例えば、サムネイル画像の周囲に一重の矩形枠画像を付加したサムネイル画像によって特定フォーマットの画像データ（ＲＡＷ画像データ）であることを表現し、二重の矩形枠画像が付加されたサムネイル画像によってＲＡＷ形式を含む二種類の画像フォーマットで同時に記録された画像データであることを表現してもよい。
【図面の簡単な説明】
【００４７】
【図１】本発明を適用したコンピュータシステムを概略的に示すブロック図である。
【図２】識別サムネイル画像の説明図である。
【図３】インデックス画像出力までの流れを示すフローチャートである。
【図４】インデックス画像の説明図である。
【図５】第２実施形態のフローチャートである。
【図６】第２の形態の識別サムネイル画像とインデックス画像の説明図である。
【図７】画像データファイルの構造を示す概念図である。
【図８】識別サムネイル画像の第３の形態を示す説明図である。
【図９】識別サムネイル画像の第４の形態を示す説明図である。
【符号の説明】
【００４８】
１０  コンピュータシステム
１１  ＣＰＵ
１２  記憶装置
１３  コンピュータ本体
１４  画像データ入力装置
１５  フォトプリンタ
２０  画像処理部
２１  画像フォーマット判別部
２２  サムネイル画像生成部
２３  識別画像付加部
２４  インデックス画像出力部
３０，４０  識別画像
３１  サムネイル画像
３２，４１  識別サムネイル画像
３５，４５  インデックス画像
５０  画像データファイル
【図１】
2007189428.tif 000003
【図２】
2007189428.tif 000004
【図３】
2007189428.tif 000005
【図４】
2007189428.tif 000006
【図５】
2007189428.tif 000007
【図６】
2007189428.tif 000008
【図７】
2007189428.tif 000009
【図８】
2007189428.tif 000010
【図９】
2007189428.tif 000011